(57)【要約】【課題】筺体の材質に関わらず使用でき、押圧の強弱変化について判定可能な段階数を増やし、多数の機能を割り当て可能な操作部を有する電子機器を提供すること。【解決手段】第一の圧電センサ（１６３）により操作者によるタッチ操作を検出可能な接触検出部（１６１）と、第二の圧電センサ（１６６）により操作者が操作部に与える押圧の変化を検出可能な押圧検出部（１６４）と、前記接触検出部（１６１）および前記押圧検出部（１６４）の出力値に基づき、操作者の接触状態および操作者が操作部に与える押圧が変化したことを判定する判定部（１６７）とを有し、操作者のタッチ操作および押圧の変化に応じた動作をすることを特徴とする。【選択図】図１
2018180749.tif 000002
【特許請求の範囲】
【請求項１】
第一の圧電センサにより操作者によるタッチ操作を検出可能な接触検出部と、
第二の圧電センサにより操作者が操作部に与える押圧の変化を検出可能な押圧検出部と、
前記接触検出部および前記押圧検出部の出力値に基づき、操作者の接触状態および操作者が操作部に与える押圧が変化したことを判定する判定部と、を有し、
操作者のタッチ操作および押圧の変化に応じた動作をすることを特徴とする電子機器。
【請求項２】
前記判定部において、前記接触検出部で接触検出中に前記押圧検出部の出力値が第一の閾値より大きくなった場合に一段押圧が強まったと判定することを特徴とする請求項１に記載の電子機器。
【請求項３】
前記判定部において、前記接触検出部で接触検出中に前記押圧検出部の出力値が第二の閾値より小さくなった場合に一段押圧が弱まったと判定することを特徴とする請求項１に記載の電子機器。
【請求項４】
前記判定部において、前記接触検出部で接触を検出しなくなった場合にタッチオフと判定することを特徴とする請求項１に記載の電子機器。
【請求項５】
前記接触検出部はタッチオン時に生じる操作者の微小な筋肉の振動を検出し、前記判定部は前記振動の検出が継続する間をタッチオン状態であると判定し、前記振動が検出されない場合はタッチオフ状態であると判定することを特徴とする請求項１に記載の電子機器。
【発明の詳細な説明】
【技術分野】
【０００１】
本発明は、電子機器に関し、特に押圧に応じた操作が可能な電子機器に関する。
【背景技術】
【０００２】
近年、タッチセンサや押圧センサを用いて、操作者のタッチや押し込みといった操作にそれぞれ機能を割り当てた電子機器が製品化されている。例えばスマートフォンにおいて、操作者がタッチパネルにタッチした際に第一の動作をし、そこから操作者がタッチパネルを更に押し込んだ際に第二の動作をするといった技術がある。
【０００３】
従来、上記のようなタッチ操作を判定するためには静電容量方式もしくは抵抗膜方式のセンサで接触を判定し、圧電センサで押圧状態を判定する方法が取られていた。
【０００４】
特許文献１には、静電容量方式や抵抗膜方式により構成されるタッチセンサに圧電センサを装着し、操作者がタッチセンサのタッチ面に与える押圧を圧電センサで検出するといった技術が開示されている。
【先行技術文献】
【特許文献】
【０００５】
【特許文献１】特開２０１１−１８７０８７号公報
【発明の概要】
【発明が解決しようとする課題】
【０００６】
しかしながら、特許文献１に開示された従来技術には以下のような課題がある。まず、タッチセンサが静電容量方式である場合、デジタルカメラのように筺体が金属で構成されている電子機器には採用することができない。また、タッチセンサが抵抗膜方式の場合は、タッチ面に対する押圧荷重が閾値を超えた際に接触したと判定することになる。この状態から操作者が第一の押圧を与えたと判定するには、より大きな押圧力で押さなければならず、第二の押圧を与えたと判定するには、更に大きな押圧力で押さなければならない。このとき、操作者が押圧可能な押圧力の範囲は限られているため、判定可能な押圧の段階数が少なくなってしまう。
【０００７】
そこで、本発明の目的は、筺体の材質に関わらず使用でき、押圧の強弱変化について判定可能な段階数を増やし、多数の機能を割り当て可能な操作部を有する電子機器を提供することにある。
【課題を解決するための手段】
【０００８】
上記の目的を達成するために、本発明に係る電子機器は、
第一の圧電センサにより操作者によるタッチ操作を検出可能な接触検出部と、第二の圧電センサにより操作者が操作部に与える押圧の変化を検出可能な押圧検出部と、前記接触検出部および前記押圧検出部の出力値に基づき、操作者の接触状態および操作者が操作部に与える押圧が変化したことを判定する判定部とを有し、操作者のタッチ操作および押圧の変化に応じた動作をすることを特徴とする。
【発明の効果】
【０００９】
本発明によれば、筺体の材質に関わらず使用でき、押圧の強弱変化について判定可能な段階数を増やし、多数の機能を割り当て可能な操作部を有する電子機器を提供することができる。
【図面の簡単な説明】
【００１０】
【図１】本発明の実施形態に係る電子機器における押圧レベルの変遷を示す説明図である。
【図２】本発明の実施形態に係る電子機器の構成を示すブロック図である。
【図３】本発明の実施形態に係る電子機器の一部の構造を示す模式図および断面図である。
【図４】本発明の実施形態に係る電子機器の接触検出部の出力を示す説明図である。
【図５】本発明の実施形態に係る電子機器にて実行される操作例を示す説明図である。
【図６】本発明の実施形態に係る電子機器の処理動作を示すフローチャートである。
【発明を実施するための形態】
【００１１】
以下に、本発明の好ましい実施の形態を、添付の図面に基づいて詳細に説明する。図２、図３を参照して、本発明の実施例１に係る電子機器の構成を説明する。ここでは、電子機器の例として撮像装置１００を用いて説明する。
【００１２】
１２０は撮像装置１００全体を制御するシステム制御部である。１２１は撮像素子であり、レンズ２１０、絞り２１１、レンズマウント１０２および２０２、シャッター１４４を介して不図示の被写体の光学像が結像し、その光学像を電気信号に変換する。１２２はＡ／Ｄ変換部であり、撮像素子１２１のアナログ信号出力をデジタル信号に変換する。Ａ／Ｄ変換部１２２でＡ／Ｄ変換されたデジタル信号は、メモリ制御部１２５およびシステム制御部１２０により制御され、メモリ１２６に格納される。
【００１３】
１１９は撮像素子１２１の露光時間制御部であり、システム制御部からの指示に従い、画素グループ毎の露光時間を変更するための制御信号を撮像素子１２１に出力する。詳細は後述する。
【００１４】
１２３は画像処理部であり、Ａ／Ｄ変換部１２２でＡ／Ｄ変換されたデジタル信号のデータ或いはメモリ制御部１２５からのデータに対して所定の画素補間処理や色変換処理を行う。画像処理部１２３は、適応離散コサイン変換（ＡＤＣＴ）等により画像データを圧縮伸長する圧縮・伸長回路も備える。メモリ１２６に格納された画像を読み込んで圧縮処理或いは伸長処理を行い、処理を終えたデータをメモリ１２６に書き込むことも可能である。ディスプレイ１５３およびＥＶＦ１５１の表示画像データを生成し、明るさ調整、コントラスト調整、ガンマ補正、カラーバランス調整等の種々の画像処理を行うことも可能である。
【００１５】
１２４はＡＥ演算部である。ＡＥ（自動露出）処理を行うために、撮影画像から露出状態を測定することができる。
【００１６】
１２５はメモリ制御部である。Ａ／Ｄ変換部１２２、画像処理部１２３、ＡＥ演算部１２４、ＡＦ信号処理部１２９、露光時間算出部１３０、顔検出部１５６、動き量検出部１５７、ディスプレイ駆動部１５２、ＥＶＦ駆動部１５０、外部着脱メモリ部１２８とメモリ１２６間のデータ送受を制御する。Ａ／Ｄ変換部１２２のデータが画像処理部１２３、メモリ制御部１２５を介して、或いはＡ／Ｄ変換部１２２のデータが直接メモリ制御部１２５を介して、メモリ１２６に書き込まれる。
【００１７】
１２６は撮影した静止画像および動画像、再生用表示のための画像のデータを格納するためのメモリであり、所定枚数の静止画像や動画像を格納するのに十分な記憶量を備える。なお、メモリ１２６はシステム制御部１２０のプログラムスタック領域、ステータス記憶領域、演算用領域、ワーク用領域、画像表示データ用領域が確保されている。各種の演算は、メモリ１２６の演算用領域を利用し、システム制御部１２０により実行される。
【００１８】
１２７は電気的に消去・記録可能な不揮発性メモリであり、例えばフラッシュメモリやＥＥＰＲＯＭ等が用いられる。不揮発性メモリ１２７には、撮影状態の保存や、撮像装置１００を制御するプログラムが格納されている。
【００１９】
１２８はコンパクトフラッシュ（登録商標）やＳＤカードといった記録媒体に画像ファイル記録や読出を行うための外部着脱メモリ部である。
【００２０】
１３１は電源部であり、電池、電池検出回路、ＤＣ−ＤＣコンバータ、通電するブロックを切り替えるスイッチ回路等により構成されており、電池の装着の有無、電池の種類、電池残量の検出を行う。また、検出結果およびカメラ制御部１４０の指示に基づいてＤＣ−ＤＣコンバータを制御し、必要な電圧を必要な期間、各ブロック部へ供給する。
【００２１】
１４０はカメラ制御部であり、シャッター制御部１４１、レンズ制御部２０４、ストロボ発光制御部３０２との送受信によりカメラとしての一連の動作を制御する。また、カメラ全体の電源制御や、カメラの動作モードの遷移制御を行う。
【００２２】
１４１はシャッター制御部であり、ＡＥ演算部１２４からの露出情報に基づいて、絞り２１１を制御するレンズ制御部２０３と連携しながら、シャッター１４４を制御する。
【００２３】
１３２、１３３、１３４、１３５、１３６、１３７および１３８は、カメラ制御部１４０への各種の動作指示を入力するための操作手段である。操作手段は、スイッチやダイヤル、等の単数或いは複数の組み合わせで構成される。ここで、これらの操作手段の具体的な説明を行う。１３２は再生表示スイッチであり、ディスプレイ１５３に所定の画像データを表示する再生表示モード操作ができる。外部着脱メモリ部１２８に格納された画像ファイルを再生表示する場合は、必ずこの再生スイッチ１３２により操作する。また、再生表示モードにてこの操作が行われた場合には、再生表示モードから撮影モードへの切り替えができる。
【００２４】
１３３はメニュースイッチであり、ディスプレイ１５３に各種項目一覧を表示する。この表示内容としては撮影に関する状態設定、記録媒体のフォーマット、時計の設定、現像パラメータ設定、およびユーザ機能設定（カスタム機能の設定）がある。
【００２５】
１３４はモードダイヤルである。自動撮影モード、プログラム撮影モード、シャッター速度優先撮影モード、絞り優先撮影モード、マニュアル撮影モード、ポートレート撮影モード、風景撮影モード、スポーツ撮影モード、夜景撮影モード、動画モード等の各機能撮影モードを切り替えることができる。
【００２６】
１３５はレリーズスイッチであり、レリーズボタンの半押し（ＳＷ１）および全押し（ＳＷ２）で各々ＯＮとなるスイッチである。半押し状態ではＡＦ処理、ＡＥ処理、ＡＷＢ（オートホワイトバランス）処理、ＥＦ（フラッシュ調光）処理等の動作開始を指示する。全押し状態では、撮像素子１２１から読み出した信号をＡ／Ｄ変換部１２２、メモリ制御部１２５を介してメモリ１２６に画像データを書き込む撮像処理、画像処理部１２３やメモリ１２６での演算を用いた現像処理を行う。さらに、メモリ１２６から画像データを読み出し、画像処理部１２３で圧縮を行い、外部着脱メモリ部１２８に画像データを書き込む記録処理という一連の処理の動作開始を指示する。
【００２７】
１３６は各種ボタンスイッチからなる操作部であり、撮影モード、連写モード、セット、マクロ、ページ送り、フラッシュ設定、メニュー移動、ホワイトバランス選択、撮影画質選択、露出補正、日付／時間設定ができる。さらにライブビュー撮影開始および停止を行うスイッチや、上下左右方向スイッチ、再生画像のズーム倍率変更スイッチ、撮影直後に撮影画像を自動再生するクイックレビューＯＮ／ＯＦＦスイッチ、再生画像を消去するスイッチがある。ディスプレイ１５３およびＥＶＦ１５１の画像表示ＯＮ／ＯＦＦスイッチも兼ねている。また、ＪＰＥＧおよびＭＰＥＧ圧縮の各圧縮率と、撮像素子の信号をそのままデジタル化して記録するＣＣＤＲＡＷモードとを選択する圧縮モードスイッチがある。その他、レリーズスイッチ半押し状態でＡＦの合焦状態を保ち続けるワンショットＡＦモードと連続してＡＦ動作を続けるサーボＡＦモードとを設定するＡＦモード設定スイッチ等がある。
【００２８】
１３７は電子ダイヤルであり、シャッタースピード、絞り値、露出等を設定することができる。
【００２９】
１３８は電源スイッチであり、撮像装置１００の電源オン、電源オフを切り替えることができる。また、撮像装置１００に接続されたレンズユニット２００、ストロボユニット３００、記録媒体等の各種付属装置の電源オン、電源オフも合わせて切り替えることができる。
【００３０】
１３９はタイマーであり、時計機能、カレンダー機能、タイマーカウンター機能、アラーム機能があり、スリープモードへの移行時間や、アラーム通知等のシステム管理に用いられる。１５０はＥＶＦ駆動部であり、ＥＶＦ１５１を駆動するための駆動タイミング信号を供給する。また、ＥＶＦ１５１の駆動電圧を生成するための昇圧手段および降圧手段を内蔵しており、種々の駆動電圧を生成し、前記駆動タイミング信号に同期してＥＶＦ１５１に印加する。
【００３１】
１５１はＥＶＦであり、有機ＥＬ型や液晶型等により構成される。例えば有機ＥＬ型の場合、薄膜トランジスタアクティブマトリクス駆動方式の有機ＥＬパネルを内蔵する。有機ＥＬパネルの１つの表示素子はＲＧＢ３つの有機ＥＬ素子で構成されており、有機ＥＬ素子に電圧を加えることで発光する。ＥＶＦ駆動部１５０から各有機ＥＬ素子に印加される電圧を調整することにより、各色の発光量を制御する事が可能であり、所望の画像を階調表示する事が出来る。ディスプレイ１５３と同様に、システム制御部１２０の指示により、メニュー画面、画像ファイル、ライブビュー表示等が可能である。ディスプレイ１５３およびＥＶＦ１５１は、操作ボタン１３６等により各々の表示を独立にＯＮ／ＯＦＦ制御することが可能であり、同時に表示することも当然のことながら可能である。
【００３２】
１５２はディスプレイ駆動部であり、ディスプレイ１５３を駆動するための駆動タイミング信号を供給する。１５３はディスプレイであり、有機ＥＬ型や液晶ディスプレイ型等により構成される。１５４はバックライト照明であり、ＬＥＤや蛍光管、有機ＥＬ等の光源及び光を面発光にするための導光板、反射板、拡散板から構成されている。ディスプレイ１５３の背面に固定されており、ディスプレイ１５３を背面から投光する。ディスプレイ１５３には、ＡＦ枠や、カメラの設定状態を表すアイコンなどを表示することができる。
【００３３】
１５５はタッチパネルであり、ディスプレイ１５３の上に設置されている。タッチ検出方式としては、抵抗膜方式、静電容量方式、光学式方式等が使用される。１６１は接触検出部であり、高感度検出部１６２と第一の圧電センサ１６３で構成され、操作者が操作部に接触していることを検出するものである。高感度検出部１６２は、圧電センサ１６３で発生した電荷を後段の回路で検出可能な信号レベルまで増幅するための回路等で構成される。その際、微小な振動を検出できるように感度を高く設定する。操作者が操作部に接触すると、操作者の微小な筋肉の振動が第一の圧電センサ１６３に伝わる。これにより、第一の圧電センサ１６３が微小な歪みを繰り返し、電荷が生じる。高感度検出部１６２は第一の圧電センサ１６３に生じた電荷を増幅し、電圧として出力する。
【００３４】
１６４は押圧検出部であり、低感度検出部１６５と第二の圧電センサ１６６で構成され、操作者が操作部に与える押圧力の変化に基づく電圧を出力するものである。低感度検出部１６５は、圧電センサ１６６で発生した電荷を後段の回路で検出可能な信号レベルまで増幅するための回路等で構成される。その際、高感度検出部１６２よりも感度が小さくなるように設定する。ここで、高感度検出部１６２と低感度検出部１６５に感度差を付ける理由は、それぞれに接触検出、押圧検出という異なる役割を持たせるためである。操作者が操作部への押圧を強めると、第二の圧電センサ１６６が歪み、電荷が生じる。また、操作者が操作部への押圧を弱めた場合、第二の圧電センサが押圧を強めた時とは逆方向に歪み、正負が逆の電荷が生じる。低感度検出部１６５は第二の圧電センサ１６６に生じた電荷を増幅し、電圧として出力する。
【００３５】
１６７はマイコン等で構成される判定部であり、接触検出部１６１の出力電圧をモニターし、操作部への接触に関して以下の操作、あるいは状態を判定できる。
【００３６】
・操作部にタッチしていなかった指等が新たに操作部にタッチしたこと。すなわち、タッチの開始（以下、タッチダウン（Ｔｏｕｃｈ−Ｄｏｗｎ）と称する）。
【００３７】
・操作部を指等でタッチしている状態であること（以下、タッチオン（Ｔｏｕｃｈ−Ｏｎ）と称する）。
【００３８】
・操作部へタッチしていた指等を離したこと。すなわち、タッチの終了（以下、タッチアップ（Ｔｏｕｃｈ−Ｕｐ）と称する）。
【００３９】
・操作部に何もタッチしていない状態（以下、タッチオフ（Ｔｏｕｃｈ−Ｏｆｆ）と称する）。また、判定部１６７は押圧検出部１６４の出力電圧をモニターし、操作部への押圧に関して以下の操作を判定できる。
【００４０】
・タッチオンした状態から操作部への押圧を強めたこと。
【００４１】
・操作部を押し込んだ状態から押圧を弱めたこと。
【００４２】
接触検出部１６１、押圧検出部１６４は重畳して設けられており、接触検出部１６１と押圧検出部１６４は、タッチ操作および押圧を受け付け可能な一連の操作部へのタッチ関連操作（タッチ操作および押圧）を検出可能である。この構造は図３に示す。図３（ａ）は撮像装置１００の操作部を外から見た模式図であり、図３（ｂ）は撮像装置１００の操作部の断面図である。なお、図３では一例として接触検出部１６１と押圧検出部１６４を重ねた構成で説明したが、配置や向きは本発明の要旨の範囲内で種々の変更が可能である。操作者が操作部へのタッチ操作および押圧操作を行うと、接触検出部１６１はタッチ操作を、押圧検出部１６４は押圧を検出できる。すなわち、操作者は接触検出部１６１や押圧検出部１６４が重畳した一連の操作部に対して、タッチ操作および押圧力をかけると、それぞれの操作が検出される。また、具体的なタッチ操作の検出方法については、後に図１を用いて説明する。なお、判定部１６７はカメラ制御部１４０の内部に含まれる構成であっても良い。
【００４３】
タッチダウンが検出されると、同時にタッチオンであることも検出される。また、タッチアップが検出されない限りは、通常はタッチオンが検出され続ける。タッチしていた指等がタッチアップしたことが検出された後は、タッチオフとなる。
【００４４】
１０２および２０２はレンズマウントであり、撮像装置１００をレンズユニット２００と接続するためのインターフェイスである。１０１および２０１は撮像装置１００をレンズユニット２００と電気的に接続するコネクタであり、カメラ制御部１４０により制御される。
【００４５】
１１１および３０１はアクセサリシューであり、撮像装置１００をストロボユニット３００と接続するためのインターフェイスである。
【００４６】
２００は交換レンズタイプのレンズユニットであり、不図示の被写体の光学像をレンズ２１０から、絞り２１１、レンズマウント２０２および１０２、シャッター１４４を介して導き、撮像素子１２１上に結像することができる。
【００４７】
２０３はレンズユニット２００全体を制御するレンズ制御部である。レンズ制御部２０３は、動作用の定数、変数、プログラム等を記憶するメモリやレンズユニット２００固有の番号等の識別情報、管理情報、開放絞り値や最小絞り値、焦点距離等の機能情報、現在や過去の各設定値等を保持する不揮発メモリの機能も備える。レンズ制御部２０３は、ＡＦ信号処理部１２９より測定された画像の合焦状態に応じて、レンズ２１０のフォーカシングを制御し、撮像素子１２１に入射する被写体像の結像位置を変更することでＡＦ動作を行うことが可能である。また、レンズ制御部２０４は絞り２１１の制御や、レンズ２１０のズーミングを制御する機能も兼ね備える。
【００４８】
３００はアクセサリシュー１１１に接続するストロボユニットである。３０１はアクセサリシュー１１１内において、ストロボユニット３００と撮像装置１００と電気的に接続するインターフェイスである。３０２はストロボユニット３００全体を制御するストロボ発光制御部であり、不図示のキセノン管等の発光部に対し、ＡＥ演算部１２４らの露出情報に基づいて発光量や発光タイミングを制御することでＥＦ制御を行う。
【００４９】
図４は、本発明の実施形態に係る電子機器の接触検出部の出力を示す説明図である。操作者が操作部に接触していないときは、接触検出部１６１は一定の値を出力する（３９０、３９２）。操作者が操作部に接触すると、操作者の微小な筋肉の振動が第一の圧電センサ１６３に伝わる。これにより、接触検出部１６１の出力には振動が生じる（３９１）。判定部１６７はこの振動が続いている間をタッチオン状態であると判定する。これにより、圧電センサによる接触検出が可能になる。
【００５０】
次に図１、図５を用いて、押圧レベルＮの変遷の例および撮像装置１００における操作例を説明する。図１に関わる判定は、判定部１６７が、接触検出部１６１および押圧検出部１６４の出力値に基づいて実行する。ここで、押圧レベルＮとは、操作者が操作部に与えた押圧が何段階目のものであるかを示すものとする。判定部１６７は、接触を検出中に押圧の変化があったと判定した時、押圧レベルＮの値を変更する。
【００５１】
まず、図１（ａ）について説明する。上段のグラフ４９０が押圧レベルＮの変遷を示し、中段の波形４９１が、接触検出部１６１の出力を示し、下段の波形４９２が押圧検出部１６４の出力を示す。全体の流れとしては、Ｔ１において操作者が操作部に第一の押圧を与え、Ｔ２において操作者が第二の押圧を与え、Ｔ３において操作者が指を離すというものである。Ｔ１において操作者が第一の押圧を与えることにより、接触検出部１６１の出力に振動が生じ、判定部１６７がタッチオンと判定する。また、押圧検出部１６４の出力値が第一の閾値ＴＨ１より大きくなる。これにより、判定部１６７は、操作者が操作部を押し込む力が強められたと判定し、押圧レベルＮをＮ＝１に設定する。続いて、Ｔ２において操作者が第二の押圧を与えることにより、再度押圧検出部１６４の出力値が第一の閾値ＴＨ１より大きくなる。これにより、判定部１６７は、操作者が操作部を押し込む力が更に強められたと判定し、押圧レベルＮをＮ＝２に設定する。最後に、Ｔ３において操作者が指を離したことにより、接触検出部１６１の出力の振動が無くなる。このため、判定部１６７はタッチアップと判定し、押圧レベルＮをＮ＝０に設定する。
【００５２】
続いて、図１（ｂ）について説明する。図１（ａ）と同様に、上段のグラフ４９３が押圧レベルＮの変遷を示し、中段の波形４９４が、接触検出部１６１の出力を示し、下段の波形４９５が押圧検出部１６４の出力を示す。Ｔ１’、Ｔ２’までは前記Ｔ１、Ｔ２と同じ動作であるが、Ｔ３’において操作者が操作部への押圧を弱め、Ｔ４’において指を離すという流れになっている。Ｔ３’において操作者が押圧を弱めることにより、押圧検出部１６４の出力値が第二の閾値ＴＨ２より小さくなる。このときタッチオンは継続しているため、判定部１６７は、操作者が操作部を押し込む力が弱められたと判定し、押圧レベルＮを再度Ｎ＝１に設定する。Ｔ４’においては前記Ｔ３と同様の処理が行われる。
【００５３】
判定部１６７は、常時押圧レベルＮの値をカメラ制御部１４０乃至はシステム制御部１２０に通知する。カメラ制御部１４０、システム制御部１２０は通知された押圧レベルＮの値に応じて所定の動作を行う。図５を用いて例を後述する。
【００５４】
また、図１は説明の簡略化のため押圧レベルＮをＮ＝２までとしているが、本実施形態では後述する図６のフローを繰り返すことにより、Ｎ＝３以上の押圧も検出することができる。なお、図１に示した操作は一例であり、本実施形態では操作者が図１とは異なる操作をした場合も図６のフローを用いて判定することができる。
【００５５】
次に、図５を参照して操作例を説明する。図５は、ディスプレイ１５３に表示される再生画像を変更する際に、押圧レベルＮの値に応じて画像送りのスピードを変更するという例である。５００で示される部分は再生画像が重ねて連なっているグラフィック表示を表しており、中央に表示される画像を再生することができる。操作者は画像をスクロールさせ、再生画像を選択する事ができる。図５（ａ）は押圧レベルＮがＮ＝１である場合を示す。このとき、５０１の矢印は、画像送りが低速で行われることを表している。図５（ｂ）は押圧レベルＮがＮ＝２である場合を示す。このとき、５０２の矢印は、画像送りが図５（ａ）の場合よりも高速で行われることを表している。
【００５６】
また、図５では画像送りのスピード変更を例に説明を行ったが、本実施例はその他様々な操作に適用が可能である。
【００５７】
図６は、本発明の実施形態に係る電子機器の処理動作を説明したフローチャートである。このフローチャートにおける各処理は、判定部１６７が、接触検出部１６１および押圧検出部１６４の出力値に基づいて実行することにより実現される。
【００５８】
判定部１６７が、接触検出部１６１の出力値から操作者の接触を検出すると、図６のフローの処理が開始する。
【００５９】
ステップＳ１０１では、判定部１６７は、押圧検出部１６４の出力値を第一の閾値ＴＨ１と比較する。出力値がＴＨ１より大きい場合はステップＳ１０２に移行する。一方、出力値がＴＨ１より小さい場合はステップＳ１０３に移行する。
【００６０】
ステップＳ１０２では、判定部１６７は、操作者が操作部を押し込む力が強められたと判定し、押圧レベルＮをＮ＋１に設定する。
【００６１】
ステップＳ１０３では、判定部１６７は、押圧検出部１６４の出力値を第二の閾値ＴＨ２と比較する。出力値がＴＨ２より小さい場合はステップＳ１０４に移行する。一方、出力値がＴＨ２より大きい場合はステップＳ１０５に移行する。
【００６２】
ステップＳ１０４では、判定部１６７は、操作者が操作部を押し込む力が弱められたと判定し、押圧レベルＮをＮ−１に設定する。
【００６３】
ステップＳ１０５では、判定部１６７は、接触検出部１６１の出力の振動が続いているか否かによって操作者の接触の有無を判定する。接触を検出しなくなった場合にはステップＳ１０６に移行する。接触を検出し続けている場合は、再度ステップＳ１０１から判定を繰り返す。
【００６４】
ステップＳ１０６では、判定部１６７は、タッチアップと判定し、押圧レベルＮをＮ＝０（タッチオフ状態）に設定する。
【００６５】
以上説明した実施形態によれば、圧電センサを用いて操作者の接触状態および押圧状態を判定することが可能になる。これにより、筺体の材質に関わらず使用でき、押圧の強弱変化について判定可能な段階数を増やし、多数の機能を割り当て可能な操作部を有する電子機器を提供することができる。
【００６６】
以上、本発明の好ましい実施形態について説明したが、本発明はこれらの実施形態に限定されず、その要旨の範囲内で種々の変形および変更が可能である。
【００６７】
なお、上述した実施例では撮像装置を例に説明したが、本発明はその他種々の電子機器に適用可能である。
【００６８】
また、本実施形態では圧電センサを二枚用いる構成としているが、一枚の圧電センサから高感度検出部１６２、低感度検出部１６５に電荷を分岐させるような構成であっても良い。
【符号の説明】
【００６９】
１００  撮像装置、１６１  接触検出部、１６３  第一の圧電センサ、
１６４  押圧検出部、１６６  第二の圧電センサ、１６７  判定部
【図１】
2018180749.tif 000003
【図２】
2018180749.tif 000004
【図３】
2018180749.tif 000005
【図４】
2018180749.tif 000006
【図５】
2018180749.tif 000007
【図６】
2018180749.tif 000008